(57)【要約】【課題】扉が開扉状態のときに、目標室内気圧の高い第１室から目標室内気圧の低い第２室に向かって空気を流動させることができる室圧制御システムを提供する。【解決手段】室圧制御システム１０Ａは、開扉された扉２４の開度を第１〜第３開度に区分して検出する扉開度検出手段と、扉２４が第１開度に開扉されたときに、目標室内気圧の高い第１室１１から目標室内気圧の低い第２室１２に向かって空気を流動させる気流方向規制手段とを有する。気流方向規制手段では、第１定風量ユニット１７がそこを通過する空気通過量を初期設定値よりも多く、第１開度から第３開度に向かって空気通過量が順に多くなる複数の第１変更値に段階的に保持し、第２定風量ユニット１８がそこを通過する空気通過量を初期設定値よりも少なく、第１開度から第３開度に向かって空気通過量が順に少なくなる複数の第２変更値に段階的に保持する。【選択図】図２
2008190818.tif 000002
【特許請求の範囲】
【請求項１】
扉を介して隣接する少なくとも２つの室と、それら各室に個別に連結されて該各室に空気を供給する給気管と、それら各室に個別に連結されて該各室から空気を排出する排気管と、前記給気管と前記排気管とのうちの少なくとも該排気管に取り付けられた定風量ユニットとから形成され、前記扉が閉扉されているときに前記各室の室内気圧を目標室内気圧に維持し得るように、前記定風量ユニットがそこを通過する空気通過量を初期設定値に保持する多段階ＣＡＶを用いた室圧制御システムにおいて、
前記室圧制御システムが、開扉された扉の開度を複数の第１〜第ｎ所定開度に区分して検出する扉開度検出手段と、扉が所定開度に開扉されたときに、その扉の開放空間を介してつながる前記室どうしのうちの前記目標室内気圧が高い第１室から前記第１室よりも該目標室内気圧が低い第２室に向かって空気を流動させる気流方向規制手段とを有し、
前記気流方向規制手段では、所定量の空気が開扉された扉の開放空間を通って前記第１室から前記第２室に流入するように、前記第２室につながる排気管に取り付けられた第１定風量ユニットがそこを通過する空気通過量を前記初期設定値よりも多く、かつ、前記第１所定開度から前記第ｎ所定開度に向かって空気通過量が順に多くなる複数の第１変更値に段階的に保持することを特徴とする前記室圧制御システム。
【請求項２】
前記気流方向規制手段では、所定量の空気が開扉された扉の開放空間を通って前記第１室から前記第２室に流入するように、前記第１室につながる排気管に取り付けられた第２定風量ユニットがそこを通過する空気通過量を前記初期設定値よりも少なく、かつ、前記第１所定開度から前記第ｎ所定開度に向かって空気通過量が順に少なくなる複数の第２変更値に段階的に保持する請求項１記載の室圧制御システム。
【請求項３】
前記気流方向規制手段では、所定量の空気が開扉された扉の開放空間を通って前記第１室から前記第２室に流入するように、前記第２室につながる給気管に取り付けられた第３定風量ユニットがそこを通過する空気通過量を前記初期設定値よりも少なく、かつ、前記第１所定開度から前記第ｎ所定開度に向かって空気通過量が順に少なくなる複数の第３変更値に段階的に保持する請求項１または請求項２に記載の室圧制御システム。
【請求項４】
前記気流方向規制手段では、所定量の空気が開扉された扉の開放空間を通って前記第１室から前記第２室に流入するように、前記第１室につながる給気管に取り付けられた第４定風量ユニットがそこを通過する空気通過量を前記初期設定値よりも多く、かつ、前記第１所定開度から前記第ｎ所定開度に向かって空気通過量が順に多くなる複数の第４変更値に段階的に保持する請求項１ないし請求項３いずれかに記載の室圧制御システム。
【請求項５】
前記定風量ユニットは、開扉されていた扉の開度が前記第１所定開度よりも小さくなったときに、前記気流方向規制手段を中断して定風量ユニットを通過する空気通過量を再び初期設定値に保持し、閉扉された扉を介して隣接する第１および第２室の室内気圧を目標室内気圧に維持する請求項１ないし請求項４いずれかに記載の室圧制御システム。
【発明の詳細な説明】
【技術分野】
【０００１】
本発明は、扉が閉扉状態にあるときに、扉を介して隣接する室の室内気圧を目標室内気圧に保持するとともに、扉が開扉状態にあるときに、開扉された扉を介してつながる室どうしのうちの目標室内気圧が高い第１室から目標室内気圧が低い第２室に向かって空気を流動させる多段階ＣＡＶを用いた室圧制御システムに関する。
【背景技術】
【０００２】
扉を介して隣接する複数の室の室内気圧を検出する気圧測定手段と、それら室どうしをつなぐ扉の開閉を検出する扉開閉検出手段とを有し、気圧測定手段によって測定したそれら室の室内気圧に基づいて、それら室に連結された給気ダクトまたは排気ダクトに設置した室圧調整用ダンパを調節し、室の室内気圧をそれら室に個別に設定された初期目標室内気圧に保持する室圧制御システムがある（特許文献１参照）。
【０００３】
この室圧制御システムは、扉開閉検出手段によって扉が開扉されたと判断したときに、あらかじめ設定されたそれら室の初期目標室内気圧を変更し、開扉された扉を介してつながる室どうしを一室とみなしてそれら室の目標室内気圧を互いに一致させ、扉開閉検出手段によって扉が閉扉されたと判断したときに、変更した目標室内気圧を初期目標室内気圧に戻し、室の室内気圧をそれら室に個別に設定された初期目標室内気圧に復帰させる。このシステムは、開扉された扉を閉めた後において、室内気圧の制御量が周期的に大きく変動することはなく、室圧調整用ダンパの定常状態（十分に時間が経過して一定になっているはずの状態）に対する振れ（ハンチング）を防止することができる。
【特許文献１】特開平１０−８３２２１号公報
【発明の開示】
【発明が解決しようとする課題】
【０００４】
前記公報に開示の室圧制御システムでは、開扉された扉を介してつながる室どうしの初期目標室内気圧を変更してそれら室の目標室内気圧を互いに一致させるから、扉を開けたときに、扉の開放空間を介してつながる室どうしのうちの初期目標室内気圧が低い第２室から初期目標室内気圧が高い第１室に向かって空気が流動する場合があり、扉の開扉中に空気を第１室から第２室に向かって一方向へ流動させることができない。このシステムは、たとえば、第２室において空気汚染の危険が高い作業を行い、第１室においてその他の作業を行う場合、扉の開扉中に汚染された空気が扉の開放空間を通って第２室から第１室に流れ込み、第１室が汚染されてしまう場合があり、汚染された空気を所定の経路で安全に排気することができない。
【０００５】
本発明の目的は、扉が閉扉状態にあるときに、扉を介して隣接する室の室内気圧を目標室内気圧に保持することができ、扉が開扉状態にあるときに、開扉された扉を介してつながる室どうしのうちの目標室内気圧が高い第１室から目標室内気圧が低い第２室に向かって空気を確実に流動させることができる室圧制御システムを提供することにある。
【課題を解決するための手段】
【０００６】
前記課題を解決するための本発明の前提は、扉を介して隣接する少なくとも２つの室と、それら各室に個別に連結されて該各室に空気を供給する給気管と、それら各室に個別に連結されて該各室から空気を排出する排気管と、給気管と排気管とのうちの少なくとも該排気管に取り付けられた定風量ユニットとから形成され、扉が閉扉されているときに各室の室内気圧を目標室内気圧に維持し得るように、定風量ユニットがそこを通過する空気通過量を初期設定値に保持する多段階ＣＡＶを用いた室圧制御システムである。
【０００７】
前記前提における本発明の特徴は、室圧制御システムが、開扉された扉の開度を複数の第１〜第ｎ所定開度に区分して検出する扉開度検出手段と、扉が所定開度に開扉されたときに、その扉の開放空間を介してつながる室どうしのうちの目標室内気圧が高い第１室から第１室よりも該目標室内気圧が低い第２室に向かって空気を流動させる気流方向規制手段とを有し、気流方向規制手段では、所定量の空気が開扉された扉の開放空間を通って第１室から第２室に流入するように、第２室につながる排気管に取り付けられた第１定風量ユニットがそこを通過する空気通過量を初期設定値よりも多く、かつ、第１所定開度から第ｎ所定開度に向かって空気通過量が順に多くなる複数の第１変更値に段階的に保持することにある。
【０００８】
本発明の一例として、気流方向規制手段では、所定量の空気が開扉された扉の開放空間を通って第１室から第２室に流入するように、第１室につながる排気管に取り付けられた第２定風量ユニットがそこを通過する空気通過量を初期設定値よりも少なく、かつ、第１所定開度から第ｎ所定開度に向かって空気通過量が順に少なくなる複数の第２変更値に段階的に保持する。
【０００９】
本発明の他の一例として、気流方向規制手段では、所定量の空気が開扉された扉の開放空間を通って第１室から第２室に流入するように、第２室につながる給気管に取り付けられた第３定風量ユニットがそこを通過する空気通過量を初期設定値よりも少なく、かつ、第１所定開度から第ｎ所定開度に向かって空気通過量が順に少なくなる複数の第３変更値に段階的に保持する。
【００１０】
本発明の他の一例として、気流方向規制手段では、所定量の空気が開扉された扉の開放空間を通って第１室から第２室に流入するように、第１室につながる給気管に取り付けられた第４定風量ユニットがそこを通過する空気通過量を初期設定値よりも多く、かつ、第１所定開度から第ｎ所定開度に向かって空気通過量が順に多くなる複数の第４変更値に段階的に保持する。
【００１１】
本発明の他の一例として、定風量ユニットは、開扉されていた扉の開度が第１所定開度よりも小さくなったときに、気流方向規制手段を中断して定風量ユニットを通過する空気通過量を再び初期設定値に保持し、閉扉された扉を介して隣接する第１および第２室の室内気圧を目標室内気圧に維持する。
【発明の効果】
【００１２】
本発明に係る室圧制御システムによれば、扉が第１〜第ｎ所定開度に開扉されたときに、第２室につながる排気管に取り付けられた第１定風量ユニットがそこを通過する空気通過量を初期設定値よりも多く、かつ、第１所定開度から第ｎ所定開度に向かって空気通過量が順に多くなる複数の第１変更値に段階的に保持することで、扉の閉扉中よりも多くの量の空気が排気管を通って第２室から室外に排出されるとともに、扉の開度が大きくなるにつれて第２室から室外に排出される空気の量が次第に多くなるから、第１室から第２室に空気が流動し易く、扉の開扉中に空気を第１室から第２室に向かって確実に流動させることができる。この室圧制御システムは、扉の開扉中に空気を第１室から第２室に向かって流動させることができるから、第２室の空気が汚染されていたとしても、汚染された空気が第２室から第１室に向かって流れ込むことはなく、汚染された空気を所定の経路で安全に室外へ排気することができ、空気汚染の全室への拡大を防ぐことができる。
【００１３】
扉が第１〜第ｎ所定開度に開扉されたときに、第１室につながる排気管に取り付けられた第２定風量ユニットがそこを通過する空気通過量を初期設定値よりも少なく、かつ、第１所定開度から第ｎ所定開度に向かって空気通過量が順に少なくなる複数の第２変更値に段階的に保持する室圧制御システムは、扉の閉扉中よりも少ない量の空気が排気管を通って第１室から室外に排出されるとともに、扉の開度が大きくなるにつれて第１室から室外に排出される空気の量が次第に少なくなるから、第１室から第２室に空気が流動し易く、扉の開扉中に空気を第１室から第２室に向かって確実に流動させることができる。この室圧制御システムは、扉の開扉中に空気を第１室から第２室に向かって流動させることができるから、第２室の空気が汚染されていたとしても、汚染された空気が第２室から第１室に向かって流れ込むことはなく、汚染された空気を所定の経路で安全に室外へ排気することができる。
【００１４】
扉が第１〜第ｎ所定開度に開扉されたときに、第２室につながる給気管に取り付けられた第３定風量ユニットがそこを通過する空気通過量を初期設定値よりも少なく、かつ、第１所定開度から第ｎ所定開度に向かって空気通過量が順に少なくなる複数の第３変更値に段階的に保持する室圧制御システムは、給気管から第２室に供給される空気の量が扉の閉扉中よりも少なくなるとともに、扉の開度が大きくなるにつれて第２室に供給される空気の量が次第に少なくなるから、第１室から第２室に空気が流動し易く、扉の開扉中に空気を第１室から第２室に向かって確実に流動させることができる。この室圧制御システムは、扉の開扉中に空気を第１室から第２室に向かって流動させることができるから、第２室の空気が汚染されていたとしても、汚染された空気が第２室から第１室に向かって流れ込むことはなく、汚染された空気を所定の経路で安全に室外へ排気することができる。
【００１５】
扉が第１〜第ｎ所定開度に開扉されたときに、第１室につながる給気管に取り付けられた第４定風量ユニットがそこを通過する空気通過量を初期設定値よりも多く、かつ、第１所定開度から第ｎ所定開度に向かって空気通過量が順に多くなる複数の第４変更値に段階的に保持する室圧制御システムは、給気管から第１室に供給される空気の量が扉の閉扉中よりも多くなるとともに、扉の開度が大きくなるにつれて第１室に供給される空気の量が次第に多くなるから、第１室から第２室に空気が流動し易く、扉の開扉中に空気を第１室から第２室に向かって確実に流動させることができる。この室圧制御システムは、扉の開扉中に空気を第１室から第２室に向かって流動させることができるから、第２室の空気が汚染されていたとしても、汚染された空気が第２室から第１室に向かって流れ込むことはなく、汚染された空気を所定の経路で安全に室外へ排気することができる。
【００１６】
開扉されていた扉の開度が第１所定開度よりも小さくなったときに、定風量ユニットがそこを通過する空気通過量を再び初期設定値に保持し、閉扉された扉を介して隣接する第１および第２室の室内気圧を目標室内気圧に維持する室圧制御システムは、扉が完全に閉扉される前に、定風量ユニットを通過する空気通過量を初期設定値に戻すから、扉を閉めた後に空気通過量を初期設定値に戻す場合と比較し、扉を閉めた後の各室の室内気圧の不安定状態を防ぐことができ、扉を閉めた後にそれら室の室内気圧をあらかじめ設定された目標室内気圧に速やかに復帰させることができる。
【発明を実施するための最良の形態】
【００１７】
添付の図面を参照し、本発明に係る室圧制御システムの詳細を説明すると、以下のとおりである。図１，２は、一例として示す室圧制御システム１０Ａの概念図である。図３は、第１および第２室１１，１２を側方から示す室圧制御システム１０Ａの概念図であり、図４は、開扉された状態で示す扉２４の斜視図である。図５は、このシステム１０Ａが実行するプロセスの一例を示すフローチャートである。図１，２は、第１および第２室１１，１２を上方から示している。図１，３では、扉２４，２５が閉じた状態（閉扉状態）にある。図２では、扉２５が閉じた状態にあり、扉２４が所定開度以上に開いた状態（開扉状態）にある。
【００１８】
室圧制御システム１０Ａは、隣り合う２つの室１１，１２に所定量の空気を供給する給気ダクト１３（給気管）と、それら室１１，１２から所定量の空気を排出する排気ダクト１４（排気管）と、給気ダクト１３に取り付けられた定風量ユニット１５，１６（第３および第４定風量ユニット）（多段階ＣＡＶ）と、排気ダクト１４に取り付けられた定風量ユニット１７，１８（第１および第２定風量ユニット）（多段階ＣＡＶ）と、開閉センサ１９とから形成されている。なお、室を図示の２つに限定するものではなく、２つを超過する室にこのシステム１０Ａの各プロセスを実施することもできる。
【００１９】
室１１，１２は、目標室内気圧が高い第１室１１（高圧室）と、第１室１１よりも目標室内気圧が低い第２室１２（低圧室）とに区分されている。第１および第２室１１，１２の目標室内気圧は、室外の気圧よりも高い。第１室１１と第２室１２とは、側壁２０によって仕切られ、さらに、それら室１１，１２の四方を囲む天井２１、床２２、周壁２３によって室外と仕切られている。なお、それら室１１，１２の目標室内気圧に特に限定はなく、室１１，１２の用途や室１１，１２の容積等によって目標室内気圧を自由に設定することができる。それら室１１，１２の用途や容積についても特に限定はない。また、第１および第２室１１，１２の目標室内気圧が室外の気圧より低くてもよい。
【００２０】
側壁２０には、第１室１１と第２室１２とをつなぐ扉２４が設置されている。周壁２３には、第２室１２と室外とをつなぐ扉２５が設置されている。扉２４は、一方の縦方向側部２６が蝶番（図示せず）を介して側壁２０に取り付けられている。扉２４は、縦方向側部２６を軸として旋回するスイング式片開き自在戸である（図４参照）。扉２４は、第１室１１から第２室１２に向かって旋回させることはできるが、第２室１２から第１室１１に向かって旋回させることはできない。扉２４は、側壁２０に対して０〜１８０度の範囲で旋回する。扉２５は、一方の縦方向側部が蝶番を介して周壁２３に取り付けられている（図示せず）。扉２５は、扉２４と同様に、縦方向側部を軸として旋回するスイング式片開き自在戸であり、周壁２３に対して０〜１８０度の範囲で旋回する。扉２４を開けると、扉２４の開放空間２７を介して室１１，１２どうしがつながり、開放空間２７を通って第１室１１と第２室１２とを行き来することができる。また、扉２５を開けると、扉２５の開放空間を介して第２室１２と室外とがつながり、開放空間を通って第２室１２と室外とを行き来することができる。扉２４，２５には、室１１，１２の気密を保持するためにエアタイトのそれが使用されている。ドアノブ２８は、グレモンハンドルであり、扉２４，２５の閉扉後にグレモンハンドルをロック（回転）することで扉２４，２５の気密性を高めている。
【００２１】
開閉センサ１９は、扉２４の開閉を検出する３つの開閉センサ１９Ａ，１９Ｂ，１９Ｃから形成されている。それら開閉センサ１９Ａ，１９Ｂ，１９Ｃは、蝶番の側であって扉２４が納まる側壁２０の扉枠に取り付けられている。それらセンサ１９Ａ，１９Ｂ，１９Ｃは、インターフェイス３６（有線または無線）を介して定風量ユニット１７，１８の制御器に接続されている。センサ１９Ａ，１９Ｂ，１９Ｃには、マグネットスイッチが使用されている。センサ１９Ａ，１９Ｂ，１９Ｃ（マグネットスイッチ）が反応するまでの遊び（ストローク）を利用することで、センサ１９Ａ，１９Ｂ，１９Ｃが反応する扉旋回角度に差を設けることができ、センサ１９Ａ，１９Ｂ，１９Ｃの取り付け位置を選択することで、センサ１９Ａ，１９Ｂ，１９Ｃが反応する扉２４の開度を自由に調節することができる。扉２４の開度とは、図４に示すように、扉２４が開扉されたときの側壁２０と扉２４とのなす角度θ（扉の旋回角度θ）をいう。
【００２２】
このシステム１０Ａでは、それら開閉センサ１９Ａ，１９Ｂ，１９Ｃによって開扉された扉２４の開度が第１開度〜第３開度（第１〜第ｎ所定開度）に区分して検出される。センサ１９Ａのみが反応した場合、扉２４の開度が１５度（第１開度）、センサ１９Ａとセンサ１９Ｂとが反応した場合、扉２４の開度が３０度（第２開度）、すべてのセンサ１９Ａ，１９Ｂ，１９Ｃが反応した場合、扉２４の開度が６０度（第３開度）となるようにそれらセンサ１９Ａ，１９Ｂ，１９Ｃの取り付け位置が調節されている。換言すれば、扉２４の開度が１５度に達したときにセンサ１９Ａが反応し、ＯＮ信号がセンサ１９Ａから制御器に出力されるとともに、ＯＦＦ信号がそれらセンサ１９Ｂ，１９Ｃから制御器に出力される。扉２４の開度が３０度に達したときにセンサ１９Ａとセンサ１９Ｂとが反応し、ＯＮ信号がそれらセンサ１９Ａ，１９Ｂから制御器に出力されるとともに、ＯＦＦ信号がセンサ１９Ｃから制御器に出力される。扉２４の開度が６０度に達したときにすべてのセンサ１９Ａ，１９Ｂ，１９Ｃが反応し、ＯＮ信号がそれらセンサ１９Ａ，１９Ｂ，１９Ｃから制御器に出力される。なお、扉２４ではその近傍に３個のセンサ１９Ａ，１９Ｂ，１９Ｃ（マグネットスイッチ）が取り付けられているが、センサの種類や個数、取り付け位置に特に限定はなく、扉２４の開度を検出可能な態様においてセンサの種類や個数、取り付け位置を自由に決めることができる。
【００２３】
給気ダクト１３は、基幹ダクト２９と、基幹ダクト２９から分岐して室１１，１２に向かって延びる２本の分岐ダクト３０とから形成されている。基幹ダクト２９には、室１１，１２に向かって所定量の空気を給気する給気用送風機３１が取り付けられている。それら分岐ダクト３０は、室１１，１２の天井２１に施設された給気口（図示せず）につながり、それら室１１，１２に個別に連結されている。排気ダクト１４は、基幹ダクト３２と、基幹ダクト３２から分岐して室１１，１２に向かって延びる２本の分岐ダクト３３とから形成されている。基幹ダクト３２には、室外に向かって所定量の空気を排気する排気用送風機３４が取り付けられている。それら分岐ダクト３３は、室１１，１２の周壁２３に施設された排気口３５につながり、それら室１１，１２に個別に連結されている。
【００２４】
第１室１１につながる分岐ダクト３０（給気ダクト１３）には、１つの定風量ユニット１６（第４定風量ユニット）が取り付けられている。第１室１１につながる分岐ダクト３３（排気ダクト１４）には、１つの定風量ユニット１８（第２定風量ユニット）が取り付けられている。第２室１２につながる分岐ダクト３０（給気ダクト１３）には、１つの定風量ユニット１５（第３定風量ユニット）が取り付けられている。第２室１２につながる分岐ダクト３３（排気ダクト１４）には、１つの定風量ユニット１７（第１定風量ユニット）が取り付けられている。なお、定風量ユニット１５，１６，１７，１８やセンサ１９、給気用送風機３１、排気用送風機３４には、図示はしていないが、配線を介して所定の電力が供給されている。
【００２５】
定風量ユニット１５，１６，１７，１８は、ダクト３０，３３の内部気圧の変動に対してユニット１５，１６，１７，１８内を通る空気通過量を調節し、室１１，１２へ供給する空気量を一定に保持するとともに、室１１，１２から排出する空気量を一定に保持する。それら定風量ユニット１５，１６，１７，１８は、モータダンパおよび制御器と、それらを収容する筐体とから形成されている（図示せず）。ダンパは、モジュトロールモータ（回転機）と、モータの駆動力を介して旋回する旋回羽根と、旋回羽根の旋回によって開閉される空気流路とから形成されている。定風量ユニット１５，１６，１７，１８では、制御器からの制御信号によってモジュトロールモータが回転するとともに旋回羽根が所定角度に旋回する。
【００２６】
定風量ユニット１５，１６，１７，１８の制御器は、演算処理を行う中央処理部と各種条件を記憶可能なメモリとを有するマイクロプロセッサである。制御器には、各種条件を入力するための入力装置、入力確認のための表示装置がインターフェイスを介して接続されている（図示せず）。制御器は、空気流路を通過する空気通過量があらかじめ設定された値となるように、空気流路に対する羽根の開度を調整する。定風量ユニット１７，１８の制御器のメモリには、室１１，１２の目標室内気圧と、定風量ユニット１５，１６，１７，１８を通過する空気通過量（初期設定値）との相関関係が格納され、目標室内気圧に対応する空気通過量（初期設定値）と、その空気通過量に対応するダンパの旋回羽根の開度（旋回角度）との相関関係が格納されている。さらに、扉２４が開扉状態にあるときの定風量ユニット１７，１８を通過する空気通過量（第１および第２変更値）が第１開度〜第３開度に対応する３段階に区分して格納され、第１開度〜第３開度に対応する空気通過量と、それら空気通過量に対応するダンパの旋回羽根の開度（旋回角度）との相関関係が格納されている。
【００２７】
扉２４が開扉状態にあるときの定風量ユニット１７（第１定風量ユニット）を通過する空気通過量（第１変更値）は、初期設定値よりも多く、かつ、第１開度から第３開度に向かって空気通過量が順に多くなる複数（３段階）の空気通過量（第１開度対応第１変更値〜第３開度対応第１変更値）に段階的に保持される。さらに、扉２４が開扉状態にあるときの定風量ユニット１８（第２定風量ユニット）を通過する空気通過量（第２変更値）は、初期設定値よりも少なく、かつ、第１開度から第３開度に向かって空気通過量が順に少なくなる複数（３段階）の空気通過量（第１開度対応第２変更値〜第３開度対応第２変更値）に段階的に保持される。第３開度に対応する空気通過量（第２変更値）は０の場合を含む。
【００２８】
制御器は、メモリに記憶されたアプリケーションプログラムを起動し、所定のオペレーティングシステムに従って、各種条件を記憶する条件記憶手段と、扉２４が閉扉状態にあるときに室１１，１２の室内気圧を目標室内気圧に維持し得るように、定風量ユニット１５，１６，１７，１８を通過する空気通過量を初期設定値に保持する初期設定値保持手段と、開扉された扉２４の開度を第１〜第３開度（第１〜第ｎ所定開度）に区分して検出する扉開度検出手段と、扉２４が所定開度（第１〜第３開度）に開扉されたときに、空気を第１室１１から第２室１２に向かって流動させる気流方向規制手段とを実行する。
【００２９】
このシステム１０Ａでは、矢印Ｘ１で示すように、給気用送風機３１によって給気ダクト１３から室１１，１２へ所定量の空気が供給され、矢印Ｘ２で示すように、排気用送風機３４によって室１１，１２から排気ダクト１４へ所定量の空気が排出されている。システム１０Ａでは、給気ダクト１３の内部を流れる空気に圧力変動が生じたとしても、定風量ユニット１５，１６によって分岐ダクト３０の空気通過量が一定に保持され、常時一定量の空気が室１１，１２に供給されている。また、排気ダクト１４の内部を流れる空気に圧力変動が生じたとしても、定風量ユニット１７，１８によって分岐ダクト３３の空気通過量が一定に保持され、常時一定量の空気が室１１，１２から排気されている。扉２４，２５の閉扉中は、ユニット１５，１６，１７，１８によって第１および第２室１１，１２の室内気圧が目標室内気圧に保持されており、第１および第２室１１，１２の室内気圧が室外のそれよりも高く、第１室１１の室内気圧が第２室１２のそれよりも高くなっている。
【００３０】
システム１０Ａの起動中、定風量ユニット１７，１８の制御器には、開閉センサ１９Ａ，１９Ｂ，１９Ｃから扉２４の開閉情報が常時入力されている。扉２４が開扉状態にあるとは扉２４が開いてから第１開度に達したときの状態であり、このシステム１０Ａでは扉２４の開度が１５度（第１所定開度）に達したとき（開閉センサ１９Ａが扉２４の開扉を検出したとき）をいう。ただし、扉２４の開度が２０度や２５度等の他の開度（第１所定開度）に達したときを開扉状態とすることもできる。扉２４が閉扉状態にあるとは、扉２４が閉まっている場合のみならず、扉２４の開度が１５度未満の場合を含む。
【００３１】
図５のフローチャートに基づき、制御器によって実行されるこのシステム１０Ａのプロセスの一例を説明すると、以下のとおりである。室１１，１２の使用者は、扉２５を開けて室１２に入り、扉２５を閉めた後、システム１０Ａのスイッチ（図示せず）をＯＮにしてこのシステム１０Ａを起動させる。なお、システム１０Ａの稼動中、扉２５の開閉はないものとする。システム１０Ａを起動させた後、制御器には、入力装置を介してこのシステム１０Ａのプロセスを実行するために必要な各種条件（室１１，１２の目標室内気圧、扉２４を開扉状態と判断するための扉２４の第１開度（１５度）、第２開度（３０度）、第３開度（６０度））が入力される（Ｓ−１）。制御器は、条件変更の有無を表示装置に表示する（Ｓ−２）。それら条件に変更がある場合は、入力装置によって条件変更を行う（Ｓ−３）。室１１，１２の目標室内気圧を入力すると、制御器は、メモリに格納された相関関係から入力された目標室内気圧に対応する定風量ユニット１５，１６，１７，１８の空気通過量（初期設定値）を決定するとともに、その空気通過量に対応する定風量ユニット１５，１６，１７，１８のダンパの旋回羽根の開度を決定する。
【００３２】
それら条件が入力され、かつ、条件に変更がない場合、定風量ユニット１７，１８の制御器は、センサ１９Ａ，１９Ｂ，１９Ｃから入力される信号によって扉２４が閉扉状態にあるかを判断する（Ｓ−４）。制御器は、扉２４が閉扉状態（扉の開度が１５度（所定開度）未満を含む）にあると判断すると、定風量ユニット１７，１８を通過する空気通過量を初期設定値に保持する初期設定値保持手段を実行する（Ｓ−５）。初期設定値保持手段において制御器は、定風量ユニット１７，１８を通過する空気通過量が目標室内気圧に対応する空気通過量（初期設定値）となるように、ダンパの旋回羽根の開度をその空気通過量（初期設定値）に対応する開度に保持する。これにより、室１１，１２の室内気圧が目標室内気圧に維持される。
【００３３】
たとえば、定風量ユニット１６を通過する空気通過量を１５５０［ｍ３／ｈ］とすることで、第１室１１に供給される空気を１５５０［ｍ３／ｈ］に保持し、定風量ユニット１５を通過する空気通過量を７５０［ｍ３／ｈ］とすることで、第２室１２に供給される空気を７５０［ｍ３／ｈ］に保持する。さらに、定風量ユニット１８を通過する空気通過量を１５００［ｍ３／ｈ］（初期設定値）とすることで、第１室１１から排出される空気を１５００［ｍ３／ｈ］に保持し、定風量ユニット１７を通過する空気通過量を７００［ｍ３／ｈ］（初期設定値）とすることで、第２室１２から排出される空気を７００［ｍ３／ｈ］に保持する。使用者は、システム１０Ａの稼動または停止の選択を行う（Ｓ−６）。システム１０Ａの稼動を選択すると、制御器は、ステップ（Ｓ−２）に戻り、条件変更の有無を表示した後、扉２４が閉扉状態にあるかを再び判断し（Ｓ−４）、扉２４が閉扉状態にあると判断すると、初期設定値保持手段を継続して実行する（Ｓ−５）。システム１０Ａの停止を選択すると、システム１０ＡのスイッチがＯＦＦとなり、システム１０Ａが停止する。
【００３４】
システム１０Ａの稼働中に使用者が扉２４を開け、扉２４の開度が１５度（第１開度）に達すると、ＯＮ信号がセンサ１９Ａから定風量ユニット１７，１８の制御器に出力され、ＯＦＦ信号がセンサ１９Ｂ，１９Ｃから制御器に出力される。制御器は、センサ１９Ａから出力されたＯＮ信号とそれらセンサ１９Ｂ，１９Ｃから出力されたＯＦＦ信号とに基づいて、扉２４が第１開度に開扉されたと判断し（扉開度検出手段）、初期設定値保持手段を中断し、室１１，１２に対して気流方向規制手段を実行する（Ｓ−７）。気流方向規制手段において制御器は、ユニット１７（第１定風量ユニット）を通過する空気通過量が初期設定値よりも多く、かつ、第１開度に対応する変更値（第１開度対応第１変更値）となるように、メモリに格納された相関関係から第１開度対応第１変更値に対応するユニット１７のダンパの旋回羽根の開度を決定し、ダンパの旋回羽根の開度を決定した開度に変更してその開度を保持する。さらに、ユニット１８（第２定風量ユニット）を通過する空気通過量が初期設定値よりも少なく、かつ、第１開度に対応する変更値（第１開度対応第２変更値）となるように、メモリに格納された相関関係から第１開度対応第２変更値に対応するユニット１８のダンパの旋回羽根の開度を決定し、ダンパの旋回羽根の開度を決定した開度に変更してその開度を保持する。これにより、図２に矢印Ｘ３で示すように、第１室１１の空気は扉２４の開放空間２７を通って第２室１２に流入する。
【００３５】
たとえば、ユニット１８（第２定風量ユニット）を通過する空気通過量を１５００［ｍ３／ｈ］（初期設定値）から１２００［ｍ３／ｈ］（第１開度対応第２変更値）に変更することで、第１室１１から排出される空気を１２００［ｍ３／ｈ］に保持し、ユニット１７（第１定風量ユニット）を通過する空気通過量を７００［ｍ３／ｈ］（初期設定値）から１０００［ｍ３／ｈ］（第１開度対応第１変更値）に変更することで、第２室１２から排出される空気を１０００［ｍ３／ｈ］に保持する。なお、定風量ユニット１５，１６を通過して室１１，１２に供給される空気の量は、扉２４の閉扉時と同一である。
【００３６】
次に、扉２４の開度が３０度（第２開度）に達すると、ＯＮ信号がセンサ１９Ａ，１９Ｂから定風量ユニット１７，１８の制御器に出力され、ＯＦＦ信号がセンサ１９Ｃから制御器に出力される。制御器は、それらセンサ１９Ａ，１９Ｂから出力されたＯＮ信号とセンサ１９Ｃから出力されたＯＦＦ信号とに基づいて、扉２４が第２開度に開扉されたと判断し（扉開度検出手段）、室１１，１２に対して気流方向規制手段を継続して実行する（Ｓ−７）。制御器は、ユニット１７（第１定風量ユニット）を通過する空気通過量が初期設定値や第１開度対応第１変更値よりも多く、かつ、第２開度に対応する変更値（第２開度対応第１変更値）となるように、メモリに格納された相関関係から第２開度対応第１変更値に対応するユニット１７のダンパの旋回羽根の開度を決定し、ダンパの旋回羽根の開度を決定した開度に変更してその開度を保持する。さらに、ユニット１８（第２定風量ユニット）を通過する空気通過量が初期設定値や第１開度対応第２変更値よりも少なく、かつ、第２開度に対応する変更値（第２開度対応第２変更値）となるように、メモリに格納された相関関係から第２開度対応第２変更値に対応するユニット１８のダンパの旋回羽根の開度を決定し、ダンパの旋回羽根の開度を決定した開度に変更してその開度を保持する。
【００３７】
たとえば、ユニット１８（第２定風量ユニット）を通過する空気通過量を１２００［ｍ３／ｈ］（第１開度対応第２変更値）から１０００［ｍ３／ｈ］（第２開度対応第２変更値）に変更することで、第１室１１から排出される空気を第１開度対応第２変更値よりも少ない１０００［ｍ３／ｈ］に保持し、ユニット１７（第１定風量ユニット）を通過する空気通過量を１０００［ｍ３／ｈ］（第１開度対応第１変更値）から１２００［ｍ３／ｈ］（第２開度対応第１変更値）に変更することで、第２室１２から排出される空気を第２開度対応第１変更値よりも多い１２００［ｍ３／ｈ］に保持する。なお、定風量ユニット１５，１６を通過して室１１，１２に供給される空気の量は、扉２４の閉扉時と同一である。
【００３８】
さらに、扉２４の開度が６０度（第３開度）に達すると、ＯＮ信号がすべてのセンサ１９Ａ，１９Ｂ，１９Ｃから定風量ユニット１７，１８の制御器に出力される。制御器は、それらセンサ１９Ａ，１９Ｂ，１９Ｃから出力されたＯＮ信号に基づいて扉２４が第３開度に開扉されたと判断し（扉開度検出手段）、室１１，１２に対して気流方向規制手段を継続して実行する（Ｓ−７）。制御器は、ユニット１７（第１定風量ユニット）を通過する空気通過量が初期設定値や第２開度対応第１変更値よりも多く、かつ、第３開度に対応する変更値（第３開度対応第１変更値）となるように、メモリに格納された相関関係から第３開度対応第１変更値に対応するユニット１７のダンパの旋回羽根の開度を決定し、ダンパの旋回羽根の開度を決定した開度に変更してその開度を保持する。さらに、ユニット１８（第２定風量ユニット）を通過する空気通過量が初期設定値や第２開度対応第２変更値よりも少なく、かつ、第３開度に対応する変更値（第３開度対応第２変更値）となるように、メモリに格納された相関関係から第３開度対応第２変更値に対応するユニット１８のダンパの旋回羽根の開度を決定し、ダンパの旋回羽根の開度を決定した開度に変更してその開度を保持する。
【００３９】
たとえば、ユニット１８（第２定風量ユニット）を通過する空気通過量を１０００［ｍ３／ｈ］（第２開度対応第２変更値）から８００［ｍ３／ｈ］（第３開度対応第２変更値）に変更することで、第１室１１から排出される空気を第２開度対応第２変更値よりも少ない８００［ｍ３／ｈ］に保持し、ユニット１７（第１定風量ユニット）を通過する空気通過量を１２００［ｍ３／ｈ］（第２開度対応第１変更値）から１４００［ｍ３／ｈ］（第３開度対応第１変更値）に変更することで、第２室１２から排出される空気を第２開度対応第１変更値よりも多い１４００［ｍ３／ｈ］に保持する。あるいは、ユニット１８（第２定風量ユニット）を通過する空気通過量を１０００［ｍ３／ｈ］（第２開度対応第２変更値）から０［ｍ３／ｈ］（第３開度対応第２変更値）に変更することで、第１室１１から排出される空気を第２開度対応第２変更値よりも少ない０［ｍ３／ｈ］に保持し、ユニット１７（第１定風量ユニット）を通過する空気通過量を１２００［ｍ３／ｈ］（第２開度対応第１変更値）から２２００［ｍ３／ｈ］（第３開度対応第１変更値）とすることで、第２室１２から排出される空気を第２開度対応第１変更値よりも多い２２００［ｍ３／ｈ］に保持する。
【００４０】
なお、初期設定値よりも多く、第１開度から第３開度に向かって空気通過量が順に多くなれば第１開度対応第１変更値や第２開度対応第１変更値、第３開度対応第１変更値に特に限定はなく、初期設定値よりも多い範囲でそれら開度対応第１変更値を自由に設定することができる。また、初期設定値よりも少なく、第１開度から第３開度に向かって空気通過量が順に少なくなれば第１開度対応第２変更値や第２開度対応第２変更値、第３開度対応第２変更値に特に限定はなく、初期設定値よりも少ない範囲でそれら開度対応第２変更値を自由に設定することができる。定風量ユニット１５，１６を通過して室１１，１２に供給される空気の量は、扉２４の閉扉時と同一である。
【００４１】
定風量ユニット１７，１８の制御器は、扉２４が開扉状態（第３開度）になった後、センサ１９Ａ，１９Ｂ，１９Ｃから入力される信号によって扉２４が開扉状態（第３開度）のままかを判断する（Ｓ−８）。扉２４が開扉状態（第３開度）の場合、制御器は、それら室１１，１２に第３開度における気流方向規制手段を継続して実行する（Ｓ−７）。使用者が扉２４を閉め、扉２４の開度が６０度未満かつ３０度以上になると、ＯＦＦ信号がセンサ１９Ｃから制御器に出力されるとともに、ＯＮ信号がセンサ１９Ａ，１９Ｂから制御器に出力される。制御器は、センサ１９Ｃから出力されたＯＦＦ信号とそれらセンサ１９Ａ，１９Ｂから出力されたＯＮ信号とに基づいて扉２４が第３開度から第２開度になったと判断する（扉開度検出手段）。
【００４２】
定風量ユニット１７の制御器は、ユニット１７を通過する空気通過量が第２開度に対応する第２開度対応第１変更値となるように、メモリに格納された相関関係から第２開度対応第１変更値に対応するユニット１７のダンパの旋回羽根の開度を決定し、ダンパの旋回羽根の開度を決定した開度に変更してその開度を保持する。定風量ユニット１８の制御器は、ユニット１８を通過する空気通過量が第２開度に対応する第２開度対応第２変更値となるように、メモリに格納された相関関係から第２開度対応第２変更値に対応するユニット１８のダンパの旋回羽根の開度を決定し、ダンパの旋回羽根の開度を決定した開度に変更してその開度を保持する。具体的には、ユニット１８を通過する空気通過量を８００［ｍ３／ｈ］（第３開度対応第２変更値）または０［ｍ３／ｈ］（第３開度対応第２変更値）から１０００［ｍ３／ｈ］（第２開度対応第２変更値）とすることで、第１室１１から排出される空気を１０００［ｍ３／ｈ］に保持し、ユニット１７を通過する空気通過量を１４００［ｍ３／ｈ］（第３開度対応第１変更値）または２２００［ｍ３／ｈ］（第３開度対応第１変更値）から１２００［ｍ３／ｈ］（第２開度対応第１変更値）とすることで、第２室１２から排出される空気を１２００［ｍ３／ｈ］に保持する。
【００４３】
使用者が扉２４を閉め、扉２４の開度が３０度未満かつ１５度以上になると、ＯＦＦ信号がセンサ１９Ａ，１９Ｂから定風量ユニット１７，１８の制御器に出力されるとともに、ＯＮ信号がセンサ１９Ｃから制御器に出力される。制御器は、センサ１９Ａ，１９Ｂから出力されたＯＦＦ信号とセンサ１９Ｃから出力されたＯＮ信号とに基づいて扉２４が第２開度から第１開度になったと判断する（扉開度検出手段）。
【００４４】
定風量ユニット１７の制御器は、ユニット１７を通過する空気通過量が第１開度に対応する第１開度対応第１変更値となるように、メモリに格納された相関関係から第１開度対応第１変更値に対応するユニット１７のダンパの旋回羽根の開度を決定し、ダンパの旋回羽根の開度を決定した開度に変更してその開度を保持する。定風量ユニット１８の制御器は、ユニット１８を通過する空気通過量が第１開度に対応する第１開度対応第２変更値となるように、メモリに格納された相関関係から第１開度対応第２変更値に対応するユニット１８のダンパの旋回羽根の開度を決定し、ダンパの旋回羽根の開度を決定した開度に変更してその開度を保持する。具体的には、ユニット１８を通過する空気通過量を１０００［ｍ３／ｈ］（第２開度対応第２変更値）から１２００［ｍ３／ｈ］（第１開度対応第２変更値）とすることで、第１室１１から排出される空気を１２００［ｍ３／ｈ］に保持し、ユニット１７を通過する空気通過量を１２００［ｍ３／ｈ］（第２開度対応第１変更値）から１０００［ｍ３／ｈ］（第１開度対応第１変更値）とすることで、第２室１２から排出される空気を１０００［ｍ３／ｈ］に保持する。
【００４５】
使用者が扉２４をさらに閉め、扉２４の開度が１５度（所定開度）未満になると、それらセンサ１９Ａ，１９Ｂ，１９ＣからＯＦＦ信号が定風量ユニット１７，１８の制御器に出力される。制御器は、それらセンサ１９Ａ，１９Ｂ，１９Ｃから出力されたＯＦＦ信号に基づいて扉２４が閉扉されたと判断し（扉開度検出手段）、ステップ（Ｓ−２）に戻り、条件変更の有無を表示した後、扉２４が閉扉状態にあるかを再び判断する（Ｓ−４）。扉２４が閉扉状態にあると判断すると、気流方向規制手段を中断し、それら室１１，１２に初期設定値保持手段を実行する（Ｓ−５）。具体的には、ユニット１８を通過する１２００［ｍ３／ｈ］（第１開度対応第２変更値）から１５００［ｍ３／ｈ］（初期設定値）に変更することで、第１室１１から排出される空気を１５００［ｍ３／ｈ］に保持し、ユニット１７を通過する空気通過量を１０００［ｍ３／ｈ］（第１開度対応第１変更値）から７００［ｍ３／ｈ］（初期設定値）に変更することで、第２室１２から排出される空気を７００［ｍ３／ｈ］に保持する。
【００４６】
この室圧制御システム１０Ａは、扉２４が第１〜第３開度に開扉されたときに、定風量ユニット１７（第１定風量ユニット）がそこを通過する空気通過量を初期設定値よりも多く、かつ、第１開度から第３開度に向かって空気通過量が順に多くなる複数の第１変更値に段階的に保持するから、扉２４の閉扉中よりも多くの量の空気が排気管１４を通って第２室１２から室外に排出されるとともに、扉２４の開度が大きくなるにつれて第２室１２から室外に排出される空気の量が次第に多くなる。また、扉２４が第１〜第３開度に開扉されたときに、定風量ユニット１８（第２定風量ユニット）がそこを通過する空気通過量を初期設定値よりも少なく、かつ、第１開度から第３開度に向かって空気通過量が順に少なくなる複数の第２変更値に段階的に保持するから、扉２４の閉扉中よりも少ない量の空気が排気管１４を通って第１室１１から室外に排出されるとともに、扉２４の開度が大きくなるにつれて第１室１１から室外に排出される空気の量が次第に少なくなる。ゆえに、この室圧制御システム１０Ａは、空気が開扉された扉２４の開放空間２７を通って第１室１１から第２室１２に流動し易く、扉２４の開扉中に空気を第１室１１から第２室１２に向かって確実に流動させることができる。
【００４７】
この室圧制御システム１０Ａは、扉２４の開扉中に空気を第１室１１から第２室１２に向かって流動させることができるから、第２室１２の空気が汚染されていたとしても、汚染された空気が第２室１２から第１室１１に向かって流れ込むことはなく、汚染された空気を所定の経路で安全に室外へ排気することができ、空気汚染の全室への拡大を防ぐことができる。この室圧制御システム１０Ａは、開扉されていた扉２４の開度が第１開度（１５度）よりも小さくなったときに、定風量ユニット１７，１８を通過する空気通過量を初期設定値に戻すから、扉２４を閉めた後に空気通過量を初期設定値に戻す場合と比較し、扉２４を閉めた後の各室１１，１２の室内気圧の不安定状態を防ぐことができ、扉２４を閉めた後にそれら室１１，１２の室内気圧をあらかじめ設定された目標室内気圧に速やかに復帰させることができる。
【００４８】
図６，７は、他の一例として示す室圧制御システム１０Ｂの概念図であり、図８は、第１および第２室１１，１２を側方から示す室圧制御システム１０Ｂの概念図である。図６，７は、第１および第２室１１，１２を上方から示している。図６，８では、扉２４，２５が閉じた状態（閉扉状態）にある。図７では、扉２５が閉じた状態にあり、扉２４が所定開度以上に開いた状態（開扉状態）にある。図６〜図８に示すシステム１０Ｂが図１〜図３に示すそれと異なるところは、扉２４に取り付けられた開閉センサ１９Ａ，１９Ｂ，１９Ｃが給気ダクト１３に取り付けられた定風量ユニット１５，１６の制御器にも接続されている点にある。なお、このシステム１０Ｂのその他の構成は図１〜図３のそれと同一であり、図１〜図３と同一の符号を付すことで図６〜図８に示すシステム１０Ｂのその他の構成の説明は省略する。
【００４９】
このシステム１０Ｂでは、３つの開閉センサ１９Ａ，１９Ｂ，１９Ｃによって開扉された扉２４の開度が第１開度〜第３開度（第１〜第ｎ所定開度）に区分して検出される。センサ１９Ａのみが反応した場合、扉２４の開度が１５度（第１開度）、センサ１９Ａとセンサ１９Ｂとが反応した場合、扉２４の開度が３０度（第２開度）、すべてのセンサ１９Ａ，１９Ｂ，１９Ｃが反応した場合、扉２４の開度が６０度（第３開度）となるようにそれらセンサ１９Ａ，１９Ｂ，１９Ｃの取り付け位置が調節されている。
【００５０】
定風量ユニット１５，１６，１７，１８の制御器のメモリには、室１１，１２の目標室内気圧と、ユニット１５，１６，１７，１８を通過する空気通過量（初期設定値）との相関関係が格納され、目標室内気圧に対応する空気通過量（初期設定値）と、その空気通過量に対応するダンパの旋回羽根の開度（旋回角度）との相関関係が格納されている。さらに、扉２４が開扉状態にあるときのユニット１５，１６，１７，１８を通過する空気通過量（第１および第２変更値）が第１開度〜第３開度に対応する３段階に区分して格納され、第１開度〜第３開度に対応する空気通過量と、それら空気通過量に対応するダンパの旋回羽根の開度（旋回角度）との相関関係が格納されている。
【００５１】
扉２４が開扉状態にあるときのユニット１７（第１定風量ユニット）を通過する空気通過量（第１変更値）は、初期設定値よりも多く、かつ、第１開度から第３開度に向かって空気通過量が順に多くなる複数の空気通過量（第１開度対応第１変更値〜第３開度対応第１変更値）に段階的に保持される。扉２４が開扉状態にあるときのユニット１８（第２定風量ユニット）を通過する空気通過量（第２変更値）は、初期設定値よりも少なく、かつ、第１開度から第３開度に向かって空気通過量が順に少なくなる複数の空気通過量（第１開度対応第２変更値〜第３開度対応第２変更値）に段階的に保持される。扉２４が開扉状態にあるときのユニット１５（第３定風量ユニット）を通過する空気通過量（第３変更値）は、初期設定値よりも少なく、かつ、第１開度から第３開度に向かって空気通過量が順に少なくなる複数の空気通過量（第１開度対応第３変更値〜第３開度対応第３変更値）に段階的に保持される。さらに、扉２４が開扉状態にあるときのユニット１６（第４定風量ユニット）を通過する空気通過量（第４変更値）は、初期設定値よりも多く、かつ、第１開度から第３開度に向かって空気通過量が順に多くなる複数の空気通過量（第１開度対応第４変更値〜第３開度対応第４変更値）に段階的に保持される。第３開度に対応する空気通過量（第２変更値）や空気通過量（第３変更値）は０の場合を含む。
【００５２】
定風量ユニット１５，１６，１７，１８の制御器は、各種条件を記憶する条件記憶手段と、扉２４が閉扉状態にあるときに室１１，１２の室内気圧を目標室内気圧に維持し得るように、ユニット１５，１６，１７，１８を通過する空気通過量を初期設定値に保持する初期設定値保持手段と、開扉された扉２４の開度を第１〜第３開度（第１〜第ｎ所定開度）に区分して検出する扉開度検出手段と、扉２４が所定開度（第１〜第３開度）に開扉されたときに、空気を第１室１１から第２室１２に向かって流動させる気流方向規制手段とを実行する。
【００５３】
図５のフローチャートを援用し、制御器によって実行される図６〜図８のシステム１０Ｂのプロセスの他の一例を説明すると、以下のとおりである。室１１，１２の使用者は、扉２５を開けて室１２に入り、扉２５を閉めた後、システム１０ＢのスイッチをＯＮにしてこのシステム１０Ｂを起動させる。システム１０Ｂを起動させた後、制御器には、入力装置を介してこのシステム１０Ｂのプロセスを実行するために必要な各種条件（室１１，１２の目標室内気圧、扉２４を開扉状態と判断するための扉２４の第１開度（１５度）、第２開度（３０度）、第３開度（６０度））が入力される（Ｓ−１）。制御器は、条件変更の有無を表示装置に表示する（Ｓ−２）。それら条件に変更がある場合は、入力装置によって条件変更を行う（Ｓ−３）。室１１，１２の目標室内気圧を入力すると、制御器は、メモリに格納された相関関係から入力された目標室内気圧に対応する定風量ユニット１５，１６，１７，１８の空気通過量（初期設定値）を決定するとともに、その空気通過量に対応するユニット１５，１６，１７，１８のダンパの旋回羽根の開度を決定する。
【００５４】
それら条件が入力され、かつ、条件に変更がない場合、定風量ユニット１５，１６，１７，１８の制御器は、センサ１９Ａ，１９Ｂ，１９Ｃから入力される信号によって扉２４が閉扉状態にあるかを判断する（Ｓ−４）。制御器は、扉２４が閉扉状態（扉２４の開度が１５度（所定開度）未満を含む）にあると判断すると、ユニット１５，１６，１７，１８を通過する空気通過量を初期設定値に保持する初期設定値保持手段を実行する（Ｓ−５）。初期設定値保持手段において制御器は、ユニット１５，１６，１７，１８を通過する空気通過量が目標室内気圧に対応する空気通過量（初期設定値）となるように、ダンパの旋回羽根の開度をその空気通過量（初期設定値）に対応する開度に保持する。これにより、室１１，１２の室内気圧が目標室内気圧に維持される。
【００５５】
たとえば、ユニット１６を通過する空気通過量を２０００［ｍ３／ｈ］（初期設定値）とすることで、第１室１１に供給される空気を２０００［ｍ３／ｈ］に保持し、ユニット１５を通過する空気通過量を１０５０［ｍ３／ｈ］（初期設定値）とすることで、第２室１２に供給される空気を１０５０［ｍ３／ｈ］に保持する。また、ユニット１８を通過する空気通過量を１９００［ｍ３／ｈ］（初期設定値）とすることで、第１室１１から排出される空気を１９００［ｍ３／ｈ］に保持し、ユニット１７を通過する空気通過量を９５０［ｍ３／ｈ］（初期設定値）とすることで、第２室１２から排出される空気を９５０［ｍ３／ｈ］に保持する。次に、使用者は、システム１０Ｂの稼動または停止の選択を行う（Ｓ−６）。システム１０Ｂの稼動を選択すると、制御器は、ステップ（Ｓ−２）に戻り、条件変更の有無を表示した後、扉２４が閉扉状態にあるかを再び判断し（Ｓ−４）、扉２４が閉扉状態にあると判断すると、初期設定値保持手段を継続して実行する（Ｓ−５）。システム１０Ｂの停止を選択すると、システム１０ＢのスイッチがＯＦＦとなり、システム１０Ｂが停止する。
【００５６】
システム１０Ｂの稼働中に使用者が扉２４を開け、扉２４の開度が１５度（第１開度）に達すると、ＯＮ信号がセンサ１９Ａから定風量ユニット１５，１６，１７，１８の制御器に出力され、ＯＦＦ信号がセンサ１９Ｂ，１９Ｃから制御器に出力される。制御器は、センサ１９Ａから出力されたＯＮ信号とそれらセンサ１９Ｂ，１９Ｃから出力されたＯＦＦ信号とに基づいて、扉２４が第１開度に開扉されたと判断し（扉開度検出手段）、初期設定値保持手段を中断し、室１１，１２に対して気流方向規制手段を実行する（Ｓ−７）。
【００５７】
定風量ユニット１６の制御器は、ユニット１６（第４定風量ユニット）を通過する空気通過量が初期設定値よりも多く、かつ、第１開度に対応する変更値（第１開度対応第４変更値）となるように、メモリに格納された相関関係から第１開度対応第４変更値に対応するユニット１６のダンパの旋回羽根の開度を決定し、ダンパの旋回羽根の開度を決定した開度に変更してその開度を保持する。定風量ユニット１５の制御器は、ユニット１５（第３定風量ユニット）を通過する空気通過量が初期設定値よりも少なく、かつ、第１開度に対応する変更値（第１開度対応第３変更値）となるように、メモリに格納された相関関係から第１開度対応第３変更値に対応するユニット１５のダンパの旋回羽根の開度を決定し、ダンパの旋回羽根の開度を決定した開度に変更してその開度を保持する。定風量ユニット１８の制御器は、ユニット１８（第２定風量ユニット）を通過する空気通過量が初期設定値よりも少なく、かつ、第１開度に対応する変更値（第１開度対応第２変更値）となるように、メモリに格納された相関関係から第１開度対応第２変更値に対応するユニット１８のダンパの旋回羽根の開度を決定し、ダンパの旋回羽根の開度を決定した開度に変更してその開度を保持する。定風量ユニット１７の制御器は、ユニット１７（第１定風量ユニット）を通過する空気通過量が初期設定値よりも多く、かつ、第１開度に対応する変更値（第１開度対応第１変更値）となるように、メモリに格納された相関関係から第１開度対応第１変更値に対応するユニット１７のダンパの旋回羽根の開度を決定し、ダンパの旋回羽根の開度を決定した開度に変更してその開度を保持する。これにより、図７に矢印Ｘ３で示すように、第１室１１の空気は扉２４の開放空間２７を通って第２室１２に流入する。
【００５８】
たとえば、ユニット１６（第４定風量ユニット）を通過する空気通過量を２０００［ｍ３／ｈ］（初期設定値）から２１００［ｍ３／ｈ］（第１開度対応第４変更値）に変更することで、第１室１１に供給される空気を初期設定値よりも多い２１００［ｍ３／ｈ］に保持し、ユニット１５（第３定風量ユニット）を通過する空気通過量を１０５０［ｍ３／ｈ］（初期設定値）から９５０［ｍ３／ｈ］（第１開度対応第３変更値）に変更することで、第２室１２に供給される空気を初期設定値よりも少ない９５０［ｍ３／ｈ］に保持する。さらに、ユニット１８（第２定風量ユニット）を通過する空気通過量を１９００［ｍ３／ｈ］（初期設定値）から１８００［ｍ３／ｈ］（第１開度対応第２変更値）に変更することで、第１室１１から排出される空気を初期設定値よりも少ない１８００［ｍ３／ｈ］に保持し、ユニット１７（第１定風量ユニット）を通過する空気通過量を９５０［ｍ３／ｈ］（初期設定値）から１０５０［ｍ３／ｈ］（第１開度対応第１変更値）に変更することで、第２室１２から排出される空気を初期設定値よりも多い１０５０［ｍ３／ｈ］に保持する。
【００５９】
次に、扉２４の開度が３０度（第２開度）に達すると、ＯＮ信号がセンサ１９Ａ，１９Ｂから定風量ユニット１５，１６，１７，１８の制御器に出力され、ＯＦＦ信号がセンサ１９Ｃから制御器に出力される。制御器は、それらセンサから出力されたＯＮ信号とセンサ１５，１６，１７，１８から出力されたＯＦＦ信号とに基づいて、扉２４が第２開度に開扉されたと判断し（扉開度検出手段）、室１１，１２に対して気流方向規制手段を継続して実行する（Ｓ−７）。
【００６０】
定風量ユニット１６の制御器は、ユニット１６（第４定風量ユニット）を通過する空気通過量が初期設定値や第１開度対応第４変更値よりも多く、かつ、第２開度に対応する変更値（第２開度対応第４変更値）となるように、メモリに格納された相関関係から第２開度対応第４変更値に対応するユニット１６のダンパの旋回羽根の開度を決定し、ダンパの旋回羽根の開度を決定した開度に変更してその開度を保持する。定風量ユニットの制御器１５は、ユニット１５（第３定風量ユニット）を通過する空気通過量が初期設定値や第１開度対応第３変更値よりも少なく、かつ、第２開度に対応する変更値（第２開度対応第３変更値）となるように、メモリに格納された相関関係から第２開度対応第３変更値に対応するユニット１５のダンパの旋回羽根の開度を決定し、ダンパの旋回羽根の開度を決定した開度に変更してその開度を保持する。定風量ユニット１８の制御器は、ユニット１８（第２定風量ユニット）を通過する空気通過量が初期設定値や第１開度対応第２変更値よりも少なく、かつ、第２開度に対応する変更値（第２開度対応第２変更値）となるように、メモリに格納された相関関係から第２開度対応第２変更値に対応するユニット１８のダンパの旋回羽根の開度を決定し、ダンパの旋回羽根の開度を決定した開度に変更してその開度を保持する。定風量ユニット１７の制御器は、ユニット１７（第１定風量ユニット）を通過する空気通過量が初期設定値や第１開度対応第１変更値よりも多く、かつ、第２開度に対応する変更値（第２開度対応第１変更値）となるように、メモリに格納された相関関係から第２開度対応第１変更値に対応するユニット１７のダンパの旋回羽根の開度を決定し、ダンパの旋回羽根の開度を決定した開度に変更してその開度を保持する。
【００６１】
たとえば、ユニット１６（第４定風量ユニット）を通過する空気通過量を２１００［ｍ３／ｈ］（第１開度対応第４変更値）から２２００［ｍ３／ｈ］（第２開度対応第４変更値）に変更することで、第１室１１に供給される空気を第１開度対応第４変更値よりも多い２２００［ｍ３／ｈ］に保持し、ユニット１５（第３定風量ユニット）を通過する空気通過量を９５０［ｍ３／ｈ］（第１開度対応第３変更値）から８５０［ｍ３／ｈ］（第２開度対応第３変更値）に変更することで、第２室１２に供給される空気を第１開度対応第３変更値よりも少ない８５０［ｍ３／ｈ］に保持する。さらに、ユニット１８（第２定風量ユニット）を通過する空気通過量を１８００［ｍ３／ｈ］（第１開度対応第２変更値）から１７００［ｍ３／ｈ］（第２開度対応第２変更値）に変更することで、第１室１１から排出される空気を第１開度対応第２変更値よりも少ない１７００［ｍ３／ｈ］に保持し、ユニット１７（第１定風量ユニット）を通過する空気通過量を１０５０［ｍ３／ｈ］（第１開度対応第１変更値）から１１５０［ｍ３／ｈ］（第２開度対応第１変更値）に変更することで、第２室１２から排出される空気を第１開度対応第１変更値よりも多い１１５０［ｍ３／ｈ］に保持する。
【００６２】
さらに、扉２４の開度が６０度（第３開度）に達すると、ＯＮ信号がすべてのセンサ１９Ａ，１９Ｂ，１９Ｃから定風量ユニット１５，１６，１７，１８の制御器に出力される。制御器は、それらセンサ１９Ａ，１９Ｂ，１９Ｃから出力されたＯＮ信号に基づいて扉２４が第３開度に開扉されたと判断し（扉開度検出手段）、室１１，１２に対して気流方向規制手段を継続して実行する（Ｓ−７）。
【００６３】
定風量ユニット１６の制御器は、ユニット１６（第４定風量ユニット）を通過する空気通過量が第２開度対応第４変更値よりも多く、かつ、第３開度に対応する変更値（第３開度対応第４変更値）となるように、メモリに格納された相関関係から第３開度対応第４変更値に対応するユニット１６のダンパの旋回羽根の開度を決定し、ダンパの旋回羽根の開度を決定した開度に変更してその開度を保持する。定風量ユニット１５の制御器は、ユニット１５（第３定風量ユニット）を通過する空気通過量が第２開度対応第３変更値よりも少なく、かつ、第３開度に対応する変更値（第３開度対応第３変更値）となるように、メモリに格納された相関関係から第３開度対応第３変更値に対応するユニット１５のダンパの旋回羽根の開度を決定し、ダンパの旋回羽根の開度を決定した開度に変更してその開度を保持する。定風量ユニット１８の制御器は、ユニット１８（第２定風量ユニット）を通過する空気通過量が第２開度対応第２変更値よりも少なく、かつ、第３開度に対応する変更値（第３開度対応第２変更値）となるように、メモリに格納された相関関係から第３開度対応第２変更値に対応するユニット１８のダンパの旋回羽根の開度を決定し、ダンパの旋回羽根の開度を決定した開度に変更してその開度を保持する。定風量ユニット１７の制御器は、ユニット１７（第１定風量ユニット）を通過する空気通過量が第２開度対応第１変更値よりも多く、かつ、第３開度に対応する変更値（第３開度対応第１変更値）となるように、メモリに格納された相関関係から第３開度対応第１変更値に対応するユニット１７のダンパの旋回羽根の開度を決定し、ダンパの旋回羽根の開度を決定した開度に変更してその開度を保持する。
【００６４】
たとえば、ユニット１６（第４定風量ユニット）を通過する空気通過量を２２００［ｍ３／ｈ］（第２開度対応第４変更値）から２３００［ｍ３／ｈ］（第３開度対応第４変更値）に変更することで、第１室１１に供給される空気を第２開度対応第４変更値よりも多い２３００［ｍ３／ｈ］に保持し、ユニット１５（第３定風量ユニット）を通過する空気通過量を８５０［ｍ３／ｈ］（第２開度対応第３変更値）から７５０［ｍ３／ｈ］（第３開度対応第３変更値）に変更することで、第２室１２に供給される空気を第２開度対応第３変更値よりも少ない７５０［ｍ３／ｈ］に保持する。さらに、ユニット１８（第２定風量ユニット）を通過する空気通過量を１７００［ｍ３／ｈ］（第２開度対応第２変更値）から１６００［ｍ３／ｈ］（第３開度対応第２変更値）に変更することで、第１室１１から排出される空気を第２開度対応第２変更値よりも少ない１６００［ｍ３／ｈ］に保持し、ユニット１７（第１定風量ユニット）を通過する空気通過量を１１５０［ｍ３／ｈ］（第２開度対応第１変更値）から１２５０［ｍ３／ｈ］（第３開度対応第１変更値）に変更することで、第２室１２から排出される空気を第２開度対応第１変更値よりも多い１２５０［ｍ３／ｈ］に保持する。
【００６５】
あるいは、ユニット１６（第４定風量ユニット）を通過する空気通過量を２２００［ｍ３／ｈ］（第２開度対応第４変更値）から３０００［ｍ３／ｈ］（第３開度対応第４変更値）に変更することで、第１室１１に供給される空気を第２開度対応第４変更値よりも多い３０００［ｍ３／ｈ］に保持し、ユニット１５（第３定風量ユニット）を通過する空気通過量を８５０［ｍ３／ｈ］（第２開度対応第３変更値）から０［ｍ３／ｈ］（第３開度対応第３変更値）に変更することで、第２室１２に供給される空気を第２開度対応第３変更値よりも少ない０［ｍ３／ｈ］に保持する。さらに、ユニット１８（第２定風量ユニット）を通過する空気通過量を１７００［ｍ３／ｈ］（第２開度対応第２変更値）から０［ｍ３／ｈ］（第３開度対応第２変更値）に変更することで、第１室１１から排出される空気を第２開度対応第２変更値よりも少ない０［ｍ３／ｈ］に保持し、ユニット１７（第１定風量ユニット）を通過する空気通過量を１１５０［ｍ３／ｈ］（第２開度対応第１変更値）から２０００［ｍ３／ｈ］（第３開度対応第１変更値）に変更することで、第２室１２から排出される空気を第２開度対応第１変更値よりも多い２０００［ｍ３／ｈ］に保持する。
【００６６】
定風量ユニット１５，１６，１７，１８の制御器は、扉２４が開扉状態（第３開度）になった後、センサ１９Ａ，１９Ｂ，１９Ｃから入力される信号によって扉２４が開扉状態（第３開度）のままかを判断する（Ｓ−８）。扉２４が開扉状態（第３開度）の場合、制御器は、それら室１１，１２に第３開度における気流方向規制手段を継続して実行する（Ｓ−７）。使用者が扉２４を閉め、扉２４の開度が６０度未満かつ３０度以上になると、ＯＦＦ信号がセンサ１９Ｃから制御器に出力されるとともに、ＯＮ信号がセンサ１９Ａ，１９Ｂから制御器に出力される。制御器は、センサ１９Ｃから出力されたＯＦＦ信号とそれらセンサ１９Ａ，１９Ｂから出力されたＯＮ信号とに基づいて扉２４が第３開度から第２開度になったと判断する（扉開度検出手段）。
【００６７】
定風量ユニット１６の制御器は、ユニット１６（第４定風量ユニット）を通過する空気通過量が第２開度対応第４変更値となるように、メモリに格納された相関関係から第２開度対応第４変更値に対応するユニット１６のダンパの旋回羽根の開度を決定し、ダンパの旋回羽根の開度を決定した開度に変更してその開度を保持する。定風量ユニット１５の制御器は、ユニット１５（第３定風量ユニット）を通過する空気通過量が第２開度対応第３変更値となるように、メモリに格納された相関関係から第２開度対応第３変更値に対応するユニット１５のダンパの旋回羽根の開度を決定し、ダンパの旋回羽根の開度を決定した開度に変更してその開度を保持する。定風量ユニット１８の制御器は、ユニット１８（第２定風量ユニット）を通過する空気通過量が第２開度対応第２変更値となるように、メモリに格納された相関関係から第２開度対応第２変更値に対応するユニット１８のダンパの旋回羽根の開度を決定し、ダンパの旋回羽根の開度を決定した開度に変更してその開度を保持する。定風量ユニット１７の制御器は、ユニット１７（第１定風量ユニット）を通過する空気通過量が第２開度対応第１変更値となるように、メモリに格納された相関関係から第２開度対応第１変更値に対応するユニット１７のダンパの旋回羽根の開度を決定し、ダンパの旋回羽根の開度を決定した開度に変更してその開度を保持する。
【００６８】
具体的には、ユニット１６（第４定風量ユニット）を通過する空気通過量を２３００［ｍ３／ｈ］（第３開度対応第４変更値）または３０００［ｍ３／ｈ］（第３開度対応第４変更値）から２２００［ｍ３／ｈ］（第２開度対応第４変更値）に変更することで、第１室１１に供給される空気を２２００［ｍ３／ｈ］に保持し、ユニット１５（第３定風量ユニット）を通過する空気通過量を７５０［ｍ３／ｈ］（第３開度対応第３変更値）または０［ｍ３／ｈ］（第３開度対応第３変更値）から８５０［ｍ３／ｈ］（第２開度対応第３変更値）に変更することで、第２室１２に供給される空気を８５０［ｍ３／ｈ］に保持する。さらに、ユニット１８（第２定風量ユニット）を通過する空気通過量を１６００［ｍ３／ｈ］（第３開度対応第２変更値）または０［ｍ３／ｈ］（第３開度対応第２変更値）から１７００［ｍ３／ｈ］（第２開度対応第２変更値）に変更することで、第１室１１から排出される空気を１７００［ｍ３／ｈ］に保持し、ユニット１７（第１定風量ユニット）を通過する空気通過量を１２５０［ｍ３／ｈ］（第３開度対応第１変更値）または２０００［ｍ３／ｈ］（第３開度対応第１変更値）から１１５０［ｍ３／ｈ］（第２開度対応第１変更値）に変更することで、第２室１２から排出される空気を１１５０［ｍ３／ｈ］に保持する。
【００６９】
使用者が扉２４を閉め、扉２４の開度が３０度未満かつ１５度以上になると、ＯＦＦ信号がセンサ１９Ｂ，１９Ｃから定風量ユニット１５，１６，１７，１８の制御器に出力されるとともに、ＯＮ信号がセンサ１９Ａから制御器に出力される。制御器は、センサ１９Ｂ，１９Ｃから出力されたＯＦＦ信号とセンサ１９Ａから出力されたＯＮ信号とに基づいて扉２４が第２開度から第１開度になったと判断する（扉開度検出手段）。
【００７０】
定風量ユニット１６の制御器は、ユニット１６（第４定風量ユニット）を通過する空気通過量が第１開度対応第４変更値となるように、メモリに格納された相関関係から第１開度対応第４変更値に対応するユニット１６のダンパの旋回羽根の開度を決定し、ダンパの旋回羽根の開度を決定した開度に変更してその開度を保持する。定風量ユニット１５の制御器は、ユニット１５（第３定風量ユニット）を通過する空気通過量が第１開度対応第３変更値となるように、メモリに格納された相関関係から第１開度対応第３変更値に対応するユニット１５のダンパの旋回羽根の開度を決定し、ダンパの旋回羽根の開度を決定した開度に変更してその開度を保持する。定風量ユニット１８の制御器は、ユニット１８（第２定風量ユニット）を通過する空気通過量が第１開度対応第２変更値となるように、メモリに格納された相関関係から第１開度対応第２変更値に対応するユニット１８のダンパの旋回羽根の開度を決定し、ダンパの旋回羽根の開度を決定した開度に変更してその開度を保持する。定風量ユニット１７の制御器は、ユニット１７（第１定風量ユニット）を通過する空気通過量が第１開度対応第１変更値となるように、メモリに格納された相関関係から第１開度対応第１変更値に対応するユニット１７のダンパの旋回羽根の開度を決定し、ダンパの旋回羽根の開度を決定した開度に変更してその開度を保持する。
【００７１】
具体的には、ユニット１６（第４定風量ユニット）を通過する空気通過量を２２００［ｍ３／ｈ］（第２開度対応第４変更値）から２１００［ｍ３／ｈ］（第１開度対応第４変更値）に変更することで、第１室１１に供給される空気を２１００［ｍ３／ｈ］に保持し、ユニット１５（第３定風量ユニット）を通過する空気通過量を８５０［ｍ３／ｈ］（第２開度対応第３変更値）から９５０［ｍ３／ｈ］（第１開度対応第３変更値）に変更することで、第２室１２に供給される空気を９５０［ｍ３／ｈ］に保持する。さらに、ユニット１８（第２定風量ユニット）を通過する空気通過量を１７００［ｍ３／ｈ］（第２開度対応第２変更値）から１８００［ｍ３／ｈ］（第１開度対応第２変更値）に変更することで、第１室１１から排出される空気を１８００［ｍ３／ｈ］に保持し、ユニット１７（第１定風量ユニット）を通過する空気通過量を１１５０［ｍ３／ｈ］（第２開度対応第１変更値）から１０５０［ｍ３／ｈ］（第１開度対応第１変更値）に変更することで、第２室１２から排出される空気を１０５０［ｍ３／ｈ］に保持する。
【００７２】
使用者が扉２４をさらに閉め、扉２４の開度が１５度（所定開度）未満になると、それらセンサ１９Ａ，１９Ｂ，１９ＣからＯＦＦ信号が定風量ユニット１５，１６，１７，１８の制御器に出力される。制御器は、それらセンサ１９Ａ，１９Ｂ，１９Ｃから出力されたＯＦＦ信号に基づいて扉２４が閉扉されたと判断し（扉開度検出手段）、ステップ（Ｓ−２）に戻り、条件変更の有無を表示した後、扉２４が閉扉状態にあるかを再び判断する（Ｓ−４）。扉２４が閉扉状態にあると判断すると、気流方向規制手段を中断し、それら室１１，１２に初期設定値保持手段を実行する（Ｓ−５）。
【００７３】
具体的には、ユニット１６（第４定風量ユニット）を通過する空気通過量を２１００［ｍ３／ｈ］（第１開度対応第４変更値）から２０００［ｍ３／ｈ］（初期設定値）に変更することで、第１室１１に供給される空気を２０００［ｍ３／ｈ］に保持し、ユニット１５（第３定風量ユニット）を通過する空気通過量を９５０［ｍ３／ｈ］（第１開度対応第３変更値）から１０５０［ｍ３／ｈ］（初期設定値）に変更することで、第２室１２に供給される空気を１０５０［ｍ３／ｈ］に保持する。さらに、ユニット１８（第２定風量ユニット）を通過する空気通過量を１８００［ｍ３／ｈ］（第１開度対応第２変更値）から１９００［ｍ３／ｈ］（初期設定値）に変更することで、第１室１１から排出される空気を１９００［ｍ３／ｈ］に保持し、ユニット１７（第１定風量ユニット）を通過する空気通過量を１０５０［ｍ３／ｈ］（第１開度対応第１変更値）から９５０［ｍ３／ｈ］（初期設定値）に変更することで、第２室１２から排出される空気を９５０［ｍ３／ｈ］に保持する。
【００７４】
この室圧制御システム１０Ｂは、扉２４が第１〜第３開度に開扉されたときに、第１定風量ユニット１７がそこを通過する空気通過量を初期設定値よりも多く、かつ、第１開度から第３開度に向かって空気通過量が順に多くなる複数の第１変更値に段階的に保持するから、扉２４の閉扉中よりも多くの量の空気が排気管１４を通って第２室１２から室外に排出されるとともに、扉２４の開度が大きくなるにつれて第２室１２から室外に排出される空気の量が次第に多くなる。扉２４が第１〜第３開度に開扉されたときに、第２定風量ユニット１８がそこを通過する空気通過量を初期設定値よりも少なく、かつ、第１開度から第３開度に向かって空気通過量が順に少なくなる複数の第２変更値に段階的に保持するから、扉２４の閉扉中よりも少ない量の空気が排気管１４を通って第１室１１から室外に排出されるとともに、扉２４の開度が大きくなるにつれて第１室１１から室外に排出される空気の量が次第に少なくなる。扉２４が第１〜第３開度に開扉されたときに、第３定風量ユニット１５がそこを通過する空気通過量を初期設定値よりも少なく、かつ、第１開度から第３開度に向かって空気通過量が順に少なくなる複数の第３変更値に段階的に保持するから、扉２４の閉扉中よりも少ない量の空気が給気管１３を通って第２室１２に供給されるとともに、扉２４の開度が大きくなるにつれて第２室１２に供給される空気の量が次第に少なくなる。扉２４が第１〜第３開度に開扉されたときに、第４定風量ユニット１６がそこを通過する空気通過量を初期設定値よりも多く、かつ、第１開度から第３開度に向かって空気通過量が順に多くなる複数の第４変更値に段階的に保持するから、扉２４の閉扉中よりも多くの量の空気が給気管１３を通って第１室１１に供給されるとともに、扉２４の開度が大きくなるにつれて第１室１１に供給される空気の量が次第に多くなる。ゆえに、この室圧制御システム１０Ｂは、空気が開扉された扉２４の開放空間を通って第１室１１から第２室１２に流動し易く、扉２４の開扉中に空気を第１室１１から第２室１２に向かって確実に流動させることができる。
【００７５】
この室圧制御システム１０Ｂは、扉２４の開扉中に空気を第１室１１から第２室１２に向かって流動させることができるから、第２室１２の空気が汚染されていたとしても、汚染された空気が第２室１２から第１室１１に向かって流れ込むことはなく、汚染された空気を所定の経路で安全に室外へ排気することができ、空気汚染の全室への拡大を防ぐことができる。この室圧制御システム１０Ｂは、開扉されていた扉２４の開度が第１開度（１５度）よりも小さくなったときに、定風量ユニット１５，１６，１７，１８を通過する空気通過量を初期設定値に戻すから、扉２４を閉めた後に空気通過量を初期設定値に戻す場合と比較し、扉２４を閉めた後の各室１１，１２の室内気圧の不安定状態を防ぐことができ、扉２４を閉めた後にそれら室１１，１２の室内気圧をあらかじめ設定された目標室内気圧に速やかに復帰させることができる。
【図面の簡単な説明】
【００７６】
【図１】一例として示す室圧制御システムの概念図。
【図２】一例として示す室圧制御システムの概念図。
【図３】第１および第２室を側方から示す室圧制御システムの概念図。
【図４】開扉された状態で示す扉の斜視図。
【図５】システムが実行するプロセスの一例を示すフローチャート。
【図６】他の一例として示す室圧制御システムの概念図。
【図７】他の一例として示す室圧制御システムの概念図。
【図８】第１および第２室を側方から示す室圧制御システムの概念図。
【符号の説明】
【００７７】
１０Ａ，１０Ｂ  室圧制御システム
１１    第１室
１２    第２室
１３    給気ダクト（給気管）
１４    排気ダクト（排気管）
１５    定風量ユニット（第３定風量ユニット）
１６    定風量ユニット（第４定風量ユニット）
１７    定風量ユニット（第１定風量ユニット）
１８    定風量ユニット（第２定風量ユニット）
１９    開閉センサ
１９Ａ，１９Ｂ，１０Ｃ  開閉センサ
２４    扉
２７    開放空間
【図１】
2008190818.tif 000003
【図２】
2008190818.tif 000004
【図３】
2008190818.tif 000005
【図４】
2008190818.tif 000006
【図５】
2008190818.tif 000007
【図６】
2008190818.tif 000008
【図７】
2008190818.tif 000009
【図８】
2008190818.tif 000010